(57)【要約】【課題】  小型のベルトコンベヤに計量装置を取り付けて製作することもでき、かつ計量精度の良い計量コンベヤ装置の提供。【解決手段】フレーム体１５に横架したヘッドローラ１６およびテールローラ１７にベルト１８を掛け回したベルトコンベヤ１２の、上記ベルト１８の搬送部１８Ａの下面に摺接するベルト摺接板３０，３１，３１を変位検出部２４ｂに固定することにより、上記搬送部１８Ａを搬送される搬送物を計量するようにした平板状の計量センサ２４を有する計量装置１３を備えてなる計量コンベア装置。【選択図】  図１
2007178172.tif 000002
【特許請求の範囲】
【請求項１】
フレーム体（１５）に横架したヘッドローラ（１６）およびテールローラ（１７）にベルト（１８）を掛け回したベルトコンベヤ（１２）の、上記ベルト（１８）の搬送部（１８Ａ）の下面に摺接するベルト摺接板（３０，３１，３１）を変位検出部（２４ｂ）に固定することにより、上記搬送部（１８Ａ）を搬送される搬送物を計量するようにした平板状の計量センサ（２４）を有する計量装置（１３）を備えてなることを特徴とする計量コンベア装置。
【請求項２】
上記ベルト摺接板（３０，３１，３１）の上面が、低摩擦素材製の摺接層であることを特徴とする請求項１記載の計量コンベア装置。
【請求項３】
上記ベルト摺接板（３０，３１，３１）が、弾力性素材製の衝撃吸収材層の上側に上記摺接層を重合していることを特徴とする請求項２記載の計量コンベア装置。
【請求項４】
上記計量センサ（２４）が、上記ベルトコンベア（１２）のフレーム体（１５）に固定されていることを特徴とする請求項１，２または３記載の計量コンベア装置。
【請求項５】
上記計量センサ（２４）が、上記ベルトコンベア（１２）とは別に据え付けられた支持台（５７，７３）に支持されていることを特徴とする請求項１，２または３記載の計量コンベア装置。
【請求項６】
上記支持台（５７）が、上記計量センサ（２４）を昇降させることにより、ベルト摺接板（３０，３１，３１）をベルト（１８）に摺接させる圧力を調整する伸縮機構（７７）を備えていることを特徴とする請求項５記載の計量コンベア装置。
【請求項７】
上記ベルト摺接板（３０，３１，３１）を、計量センサ（２４）の変位検出部（２４ｂ）に対し振動吸収材（４３）を介して固定していることを特徴とする請求項１，２，３，４，５または６記載の計量コンベア装置。
【発明の詳細な説明】
【技術分野】
【０００１】
本発明は、コンクリート塊等をベルトコンベヤで搬送しながらその搬送量を連続計量する計量コンベヤ装置に関する。
【背景技術】
【０００２】
建設廃棄物であるコンクリート塊あるいは岩塊や貝殻等を資源として有効利用することが求められているなか、上記コンクリート塊等を必要な粒度に破砕し、その破砕物にたとえば石灰，セメント，ベントナイト，土質改良材等の添加剤を加えて混合し混合土として再利用することが行われている（非特許文献１）。
その混合にあたっては品質維持やコストダウンのために適切な配合管理が必要となるので、各種の計量コンベヤ（非特許文献２）を用い、これにより上記破砕物または混合土を計量しながら搬送することが行われる。
その計量コンベヤとしては、たとえば図９に示したような構造のものが知られている。
【０００３】
この計量コンベヤは既製のベルトコンベヤ１の、コンベヤベルト２を張架したフレーム３に、いわゆる弥次郎兵衛方式の計量装置４を取り付けて、上記コンベヤベルト２上を搬送される搬送物の輸送量を計量できるようにしたものである。
その計量装置４は、コンベヤベルト２の搬送部の下面に計量ローラ５を当接させ、その計量ローラ５の上下動をロードビーム６で検出し搬送物の重量を出力するようになっているものである。このような方式の計量装置４は、ベルトテンションの影響を受けにくく、また軽負荷時の精度や傾斜して設置した場合の精度も良い。
【非特許文献１】日本国土開発株式会社、”土木技術  ツイスター工法”、[online]、[平成1７年１２月２７日検索]、インターネット＜ＵＲＬ： http://www.n-kokudo.co.jp/tec_civil/twister_gru.html＞
【非特許文献２】株式会社クボタ、”クボタベルトスケール”、[平成1７年１２月２７日検索]、インターネット＜ＵＲＬ： http://www.keisoku.kubota.ne.jp/products/pdf/08-belt.pdf＞
【発明の開示】
【発明が解決しようとする課題】
【０００４】
しかし、コンクリート塊等の搬送物が計量ローラ５上を通過する際にその衝撃で計量ローラ５が傷んでしまうとか、その計量ローラ５がコンベヤベルト２に対して線接触しているために、急激な荷重変動に対しては正規の重量以外に衝撃による擬似重量を計測してしまう問題がある。
【０００５】
また、上記計量装置４はベルトコンベヤ１への取付けや調整に手間が掛かるものであるだけでなく、それ自体の高さが３０ｃｍ程度ありベルトコンベヤ１のフレーム３内に所要の取り付けスペースが必要となるため、小型のベルトコンベヤ、たとえば全長１２ｍ程度以下のものやポータブル式のものなどには取り付けができない。
【０００６】
そこで本発明は、小型のベルトコンベヤに計量装置を取り付けて製作することもでき、しかも計量精度の良い計量コンベヤ装置の提供を目的とする。
【課題を解決するための手段】
【０００７】
請求項１記載の本発明は、フレーム体１５に横架したヘッドローラ１６およびテールローラ１７にベルト１８を掛け回したベルトコンベヤ１２の、上記ベルト１８の搬送部１８Ａの下面に摺接するベルト摺接板３０，３１，３１を変位検出部２４ｂに固定することにより、上記搬送部１８Ａを搬送される搬送物を計量するようにした平板状の計量センサ２４を有する計量装置１３を備えてなる計量コンベア装置である。
【０００８】
請求項２記載の本発明は、上記ベルト摺接板３０，３１，３１の上面が、低摩擦素材製の摺接層である請求項１記載の計量コンベア装置である。
【０００９】
請求項３記載の本発明は、上記ベルト摺接板３０，３１，３１が、弾力性素材製の衝撃吸収材層の上側に上記摺接層を重合している請求項２記載の計量コンベア装置である。
【００１０】
請求項４記載の本発明は、上記計量センサ２４が、上記ベルトコンベア１２のフレーム体１５に固定されている請求項１，２または３記載の計量コンベア装置である。
【００１１】
請求項５記載の本発明は、上記計量センサ２４が、上記ベルトコンベア１２とは別に据え付けられた支持台５７，７３に支持されている請求項１，２または３記載の計量コンベア装置である。
【００１２】
請求項６記載の本発明は、上記支持台５７が、上記計量センサ２４を昇降させることにより、ベルト摺接板３０，３１，３１をベルト１８に摺接させる圧力を調整する伸縮機構７７を備えている請求項５記載の計量コンベア装置である。
【００１３】
請求項７記載の本発明は、上記ベルト摺接板３０，３１，３１を、計量センサ２４の変位検出部２４ｂに対し振動吸収材４３を介して固定している請求項１，２，３，４，５または６記載の計量コンベア装置である。
【発明の効果】
【００１４】
本発明計量コンベヤ装置は、既製の小型のベルトコンベヤに対しても計量装置を取り付けて簡単に製作することができる。しかも、計量精度が良い。
【発明を実施するための最良の形態】
【００１５】
フレーム体１５に横架したヘッドローラ１６およびテールローラ１７にベルト１８を掛け回したベルトコンベヤ１２の、上記ベルト１８の搬送部１８Ａの下面に摺接するベルト摺接板３０，３１，３１を変位検出部２４ｂに固定することにより、上記搬送部１８Ａを搬送される搬送物を計量するようにした平板状の計量センサ２４を有する計量装置１３を備えてなる計量コンベア装置。
【実施例１】
【００１６】
本発明の実施例１について図１〜４により説明する。
１１は、全長約４ｍ，フレーム高さ約４０ｃｍ，ベルト幅約４０ｃｍの、既製の小型ベルトコンベヤ１２に、計量装置１３を取り付け固定した計量コンベヤ装置である。
【００１７】
上記ベルトコンベヤ１２は、左右一対の長尺の主フレーム１４，１４を複数の連結フレーム１４’……で連結してフレーム体１５を構成するとともに、上記主フレーム１４，１４の間に横架されたヘッドローラ１６とテールローラ１７に、ベルト１８を掛け回しているものである。
上記ベルト１８の、乗載された搬送物を上記テールローラ１７側からヘッドローラ１６の側へ搬送する搬送部（キャリア部）１８Ａは、複数のキャリアローラ１９……で支持されている。そのキャリアローラ１９……は、水平に配設された中央のローラとその左右両側の傾斜させた計３本のローラーにより３点キャリアをなしており（図示しない）、上記搬送部１８Ａは中央を窪ませた船底形になるよう支持されている。
【００１８】
また、上記ベルト１８のリターン部１８Ｂは、上記搬送部１８Ａとの間に約２０ｃｍの間隔をあけた状態にしてスナップローラ２０およびリターンローラ２１……で支持されている。
【００１９】
上記計量装置１３は、上記ベルトコンベヤ１２の主フレーム１４，１４の長さ方向中央の位置に取り付けられた、次のとおりのものである。
【００２０】
２２は支持台で、それは上記各主フレーム１４，１４の下枠１４ａ，１４ａにそれぞれ２本立設された高さ約１３ｃｍの支柱２３……の上端に、各辺の長さが約４３ｃｍの平面正方形の支持板２３’を溶接固定し、その支持板２３’を、上記ベルト１８の搬送部１８Ａとリターン部１８Ｂとの間に位置させている。
この支持台２２は、上記主フレーム１４，１４の下枠１４ａ，１４ａに溶接されたブラケット（図示しない）に対し、その支柱２３……の下端においてボルト・ナットで固定されているものであるが、上記ブラケットに溶接により固定してもよい。また、下枠１４ａ，１４ａにブラケットを設けることなく、上記下枠１４ａ，１４ａに直接溶接したりあるいはボルト・ナットにより固定してもよい。
【００２１】
２４は、上記支持台２２の支持板２３’上に乗載固定された平板状の、具体的には、厚さ３５ｍｍ程度で上記支持板２４と同大または略同大の平面方形の低床台秤式ロードセル（計量センサ）で、それは支持部２４ａ上に、該支持部２４ａの上面および側面を被覆する変位検出部２４ｂを微少変位可能に乗載した型のもので、変位検出部２４ｂに加わる荷重を、該変位検出部２４ｂの上記支持部２４ａに対する変位として、その内部のひずみゲージにより検出して出力する。
このロードセル２４は、上記支持台２２上に対しその支持部２４ａにおいてボルトで固定されている。
【００２２】
２５，２５は、上記ロードセル２４の変位検出部２４ｂの上面に乗載固定された前後一対のスタンドである。
各スタンド２５は基板２６上に３本の支持脚２７，２８，２９を立設してなるもので、その基板２６において上記ロードセル２４の上記変位検出部２４ｂに対してボルトで固定されている。
【００２３】
そのスタンド２５の中央の支持脚２８は、左右の脚部２８ａ，２８ａの上端間に水平板部２８ｂを形成しており、その水平板部２８ｂには、ゴム等の弾力性素材からなる衝撃吸収材層の上側に、超高分子量ポリエチレン等、摩擦係数が極めて低く滑性に優れた低摩擦素材からなる摺接層を重合した長さ約５０ｃｍ，幅約１６ｃｍ，厚さ約３ｃｍの長方形のベルト摺接板３０がボルトにより固定されている。
また、左右の支持脚２７，２９は、脚部２７ａ，２７ａ、２９ａ，２９ａの上端間に、上記中央の支持脚２８に向かって低くなるよう傾斜した傾斜板部２７ｂ，２９ｂを形成しており、その傾斜板部２７ｂ，２９ｂ上に、上記ベルト摺接板３０と同様のベルト摺接板３１，３１が傾斜状態にしてかつ上記ベルト摺接板３０に隣接した状態でボルトにより固定されている。
【００２４】
上記中央のベルト摺接板３０とその左右に配設されたベルト摺接板３１，３１は、それらの上面が中央を窪ませた船底形をなし、上記ベルト１８の搬送部１８Ａの下面に、その上面を摺接させている。
すなわち、この計量装置１３は、ベルト１８に摺接する板状のベルト摺接板３０，３１，３１をスタンド２５，２５を介してロードセル２４の変位検出部２４ｂに固定し、そのロードセル２４の支持部２４ａをフレーム体１５に固定した支持台２２で支持してなるもので、上記ベルト１８の搬送面上の搬送物の荷重により、スタンド２５，２５を介して上記ロードセル２４の変位検出部２４ｂが押し下げられ、搬送物の重量がロードセル２４において検出されるようになっている。
【００２５】
上記ベルト摺接板３０，３１，３１は、上記のとおりその上面が滑性に優れた摺接層になっているから上記ベルト１８の滑りが良く、さらに、上記ベルト１８を面で受けるようになっているので、従来の計量装置のようにローラによって線状にベルトを受ける場合と比べると、急激な荷重変動をある程度吸収することができる。したがって、ロードセル２４において精度良く搬送物を計量することが可能で、また、搬送物が通過する衝撃で傷むおそれも少ない。
【００２６】
上記構成からなる計量コンベヤ装置１１は、平板状のロードセル２４を使用しているので、フレーム内の空間が少ない既製の小型のベルトコンベヤ１２に対してもロードセル２４を取り付けることで製作ができ、しかもその取り付けが簡単であるだけでなく、取り付け後の調整が容易でしかも計量精度の高いものである。
【００２７】
この計量コンベヤ装置１１は全長約４ｍと小型のものであるから、トラックに積載しての運搬も容易に行える。たとえば、コンクリート塊あるいは岩塊や貝殻等を破砕する破砕機等をトラックに搭載した車載形の破砕混合機３２とともに運搬し、作業場所では該計量コンベア装置１１を所要の支持スタンドで支持し、その破砕混合機３２により得られる破砕物３３を計量しながら所定位置に運搬するのに好適である（図４）。
【実施例２】
【００２８】
図５に実施例２の計量コンベヤ装置４１を示す。
これは、計量装置４２が、ロードセル２４の変位検出部２４ｂ上に、ゴム製の振動吸収材４３を介して上記スタンド２５を固定している点が実施例１のものと異なるだけであるので、同一箇所に同一符号を付し、詳細な説明を省略する。
この計量コンベヤ装置４１は、ベルト１８に摺接させるベルト摺接板３０，３１，３１を取り付けたスタンド２５を、ロードセル２４上に振動吸収材４３を介して固定することにより、該装置４１の振動の悪影響を排し計量精度を高めたものである。
【実施例３】
【００２９】
本発明の実施例３について図６により説明する。
本実施例の計量コンベヤ装置５１は、コンベヤ支持スタンド５２，５３により傾斜状態にして支持された実施例１と同様のベルトコンベヤ１２（同一部分に同一符号を付し、詳細な説明は省略する。）と、そのベルトコンベヤ１２に固定することなく別途配設された計量装置５４とからなる。
【００３０】
上記コンベヤ支持スタンド５２は上記ベルトコンベヤ１２のフレーム体１５の後部に溶接固定された支持枠５５の下端にキャスター５６を取り付けているものである。
上記コンベヤ支持スタンド５３は、上記フレーム体１５の前部に、回動自在に取り付けられており、このコンベヤ支持スタンド５３を回動させてフレーム体１５に沿わせた状態に畳めば、該ベルトコンベヤ１２はトラック積載しての運搬も容易である。
このベルトコンベヤ１２は、使用に際しては図６に示したようにコンベヤ支持スタンド５３を起立させて傾斜状態にして所定位置に据え付けることができる。なお、その傾斜角度は、上記コンベヤ支持スタンド５３の高さを適宜調整することで変更できる。
【００３１】
上記計量装置５４は、実施例１と同様、変位検出部２４ｂにスタンド２５，２５を介してベルト摺接板３０，３１，３１（ベルト摺接板３１，３１は図示していない）を固定したロードセル２４を、支持台５７により支持してなる。
その支持台５７は、土台５８に立設した４本の支柱５９……の上端に支持板６０を傾斜状態にして固定できるようにしたもので、その支持板６０に、ロードセル２４を、その支持部２４ａにおいて固定している。
【００３２】
この計量装置５４は、予め所定位置に据え付けられたコンベヤ１２のベルト１８の搬送部１８Ａとリターン部１８Ｂとの間に上記ロードセル２４を位置させるよう組み立てて据え付けられ、上記ベルト摺接板３０，３１，３１を搬送部の上記ベルト１８の搬送部１８Ａの下面に摺接させて使用される。
【００３３】
実施例１のベルトコンベヤ装置１１の計量装置１３は、ベルトコンベヤ１２のフレーム体１５に直接取り付けてあるので、そのフレーム体１５の振動や撓みによって計量精度が悪化するおそれがあるが、本実施例のベルトコンベヤ装置４１の計量装置５４の場合、ロードセル２４を、ベルトコンベヤ１２とは別に支持台５７により支持して、地面から直接反力を取るようにしているので、計量精度が良い。
【００３４】
なお、上記計量装置５４において、ロードセル２４に固定するスタンド２５，２５は、実施例２のもののように、振動吸収材を介してロードセル２４の変位検出部２４ｂに固定してもよい。これにより計量精度を高めることができる。
【実施例４】
【００３５】
図７，８に実施例４の計量コンベア装置を示す。
この計量コンベア装置７１は、実施例３のものと、その計量装置７２の支持台７３が異なるだけのものであるから、その支持台７３についてのみ説明する。
この支持台７３は、土台７４に立設した４本の支柱７５……からなる基部７６上に、油圧シリンダ，空気圧シリンダ等の伸縮自在なアクチュエータ７７’……からなる伸縮機構７７を配設するとともに、その伸縮機構７７上に、４本の上部支柱７８……の上端に支持板７９を固定してなる昇降部８０を設けている。そして、上記支持板７９には、上記実施例３の支持台７３と同様に、ロードセル２４をその支持部２４ａにおいて固定している。
【００３６】
搬送物の正確な計量のためには、ベルト１８の搬送部１８Ａの下面に、上記ベルト摺接板３０，３１，３１を適当な圧力をもって摺接させておくことが必要であるので、本実施例の計量コンベア装置７１は、伸縮機構７８によって、ロードセル２４の高さを調整自在にし、ベルト摺接板３０，３１，３１をベルト１８に摺接させる圧力を調整することで、より正確な計量を行えるようにしたものである。
【図面の簡単な説明】
【００３７】
【図１】本発明の実施例１に係る計量コンベヤの縦断側面図である。
【図２】同上の平面図である。
【図３】図２のI-I線拡大断面図である。
【図４】上記計量コンベヤの使用状態の平面図である。
【図５】本発明の実施例２に係る計量コンベヤの要部の横断正面図である。
【図６】本発明の実施例３に係る計量コンベヤの縦断側面図である。
【図７】本発明の実施例４に係る計量コンベヤの縦断側面図である。
【図８】図７のII-II線断面図である。
【図９】従来の計量コンベヤの計量装置の側面図である。
【符号の説明】
【００３８】
１２    ベルトコンベヤ
１５    フレーム体
１６    ヘッドローラ
１７    テールローラ
１８    ベルト
１８Ａ  ベルトの（キャリア部）搬送部
２４    計量センサ（ロードセル）
２４ｂ  変位検出部
３０，３１    摺接板
４３    振動吸収剤
５７，７３    支持台
【図１】
2007178172.tif 000003
【図２】
2007178172.tif 000004
【図３】
2007178172.tif 000005
【図４】
2007178172.tif 000006
【図５】
2007178172.tif 000007
【図６】
2007178172.tif 000008
【図７】
2007178172.tif 000009
【図８】
2007178172.tif 000010
【図９】
2007178172.tif 000011